【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
画像形成装置本体と、少なくとも１つの後処理機とを有する画像形成システムにおいて、
前記画像形成装置本体に対して装着された前記後処理機としての単シート処理機を有し、
前記単シート処理機は、その用紙搬送方向下流側に他の後処理機を装着可能であり、１枚毎に用紙を後処理する複数種類の単シート処理機能、および、出力される用紙束にカバー用紙またはインサート用紙を付加する用紙付加機能を有することを特徴とする画像形成システム。
【請求項２】
前記単シート処理機が、前記画像形成システムにおける１枚毎に用紙を後処理する全ての単シート処理機能を備えることを特徴とする請求項１に記載の画像形成システム。
【請求項３】
前記単シート処理機能が、１枚毎に用紙を穿孔処理するパンチ機能、１枚毎に用紙を折り処理する折り機能、１枚毎に用紙にミシン目を形成するミシン目機能、１枚毎に用紙を断裁する単シート断裁機能の何れかであることを特徴とする請求項１または２に記載の画像形成システム。
【請求項４】
前記単シート処理機が、前記画像形成装置本体から搬送される用紙を受け入れる単シート処理搬入部と、他の何れかの後処理機に向けて用紙を搬出する単シート処理搬出部とを有し、
前記単シート処理機が他の後処理機を介することなく、前記画像形成装置本体に直接的に装着されることを特徴とする請求項１〜３の何れか１項に記載の画像形成システム。
【請求項５】
前記単シート処理機が、１枚毎に用紙を穿孔処理するパンチ処理部と、前記パンチ処理部に対して用紙搬送方向下流側に配置され、１枚毎に用紙を折り処理する折り処理部とを有することを特徴とする請求項１〜４の何れか１項に記載の画像形成システム。
【請求項６】
前記単シート処理機が、
前記画像形成装置本体から搬送される用紙を受け入れる単シート処理搬入部と、
他の何れかの後処理機に向けて用紙を搬出する単シート処理搬出部と、
１枚毎に用紙を後処理する第１処理部と、
前記第１処理部に対して用紙搬送方向下流側に配置され、１枚毎に用紙を後処理する第２処理部と、
前記単シート処理搬入部で受け入れた用紙を前記第１処理部および前記第２処理部を介することなく、前記単シート処理搬出部まで搬送するための第１搬送路と、
前記単シート処理搬入部で受け入れた用紙を前記第１処理部に搬送するための第２搬送路と、
前記第１処理部から前記第２処理部に用紙を搬送するための第３搬送路と、
前記第２処理部から前記第１搬送路に用紙を搬送するための第４搬送路と、を有することを特徴とする請求項１〜５の何れか１項に記載に画像形成システム。
【請求項７】
前記単シート処理機の前記第３搬送路が、
用紙の搬送方向の長さが所定長さ以下の用紙を前記第２処理部に搬送するための第３Ａ搬送路と、
用紙の搬送方向の長さが前記所定長さよりも大きい用紙を前記第２処理部に搬送するための第３Ｂ搬送路とを有することを特徴とする請求項６に記載の画像形成システム。
【請求項８】
前記単シート処理機が、
前記用紙付加機能により付加されるカバー用紙またはインサート用紙が載置される用紙付加部と、
前記用紙付加部から前記第１搬送路にカバー用紙またはインサート用紙を搬送するための第５搬送路とを有することを特徴とする請求項６または７に記載の画像形成システム。
【請求項９】
前記単シート処理機が、
前記単シート処理搬入部よりも用紙搬送方向下流側で前記第１搬送路と前記第２搬送路とが分岐する分岐部と、
前記分岐部よりも用紙搬送方向上流側で前記第５搬送路と前記第１搬送路とが合流する合流部とを有することを特徴とする請求項８に記載の画像形成システム。
【請求項１０】
前記単シート処理機が、ジャム発生時に画像形成システム内に残留した残留用紙、または、画像記録状態を確認するための試し記録済みの用紙が排出される単シート処理排出部と、
前記第１搬送路から前記単シート処理排出部に用紙を搬送するための第６搬送路とを有することを特徴とする請求項６乃至９の何れか１項に記載の画像形成システム。
【請求項１１】
複数枚の用紙からなる用紙束の端部を綴じ処理する平綴じ機を有し、
前記平綴じ機は、前記単シート処理機または他の何れかの後処理機から搬送される用紙を受け入れる平綴じ搬入部を有し、前記単シート処理機よりも用紙搬送方向下流側に装着されることを特徴とする請求項１乃至１０の何れか１項に記載の画像形成システム。
【請求項１２】
前記平綴じ機が、前記用紙束の端部を綴じ処理するために、ステイプル綴じするステイプル機能、テープ綴じするテープバインダ機能、糊付けする糊付け機能の少なくとも何れかを有することを特徴とする請求項１１に記載の画像形成システム。
【請求項１３】
前記平綴じ機が、綴じ処理された複数枚の用紙からなる用紙束が排出される開放型排出部を装置側方に備え、用紙搬送方向に対して画像形成システムの最下流位置に装着可能に構成されることを特徴とする請求項１１に記載の画像形成システム。
【請求項１４】
前記平綴じ機が、ジャム発生時に画像形成システム内に残留した残留用紙、または、画像記録状態を確認するための試し記録済みの用紙が排出される平綴じ排出部を有することを特徴とする請求項１１乃至１３の何れか１項に記載の画像形成システム。
【請求項１５】
複数枚の用紙からなる用紙束を中綴じ処理する中綴じ機を有し、
前記中綴じ機は、前記単シート処理機または他の何れかの後処理機から搬送される用紙を受け入れる中綴じ搬入部と、用紙搬送方向下流側に装着された他の何れかの後処理機に向けて用紙を搬出する中綴じ搬出部とを有し、前記単シート処理機に対して用紙搬送方向下流側に装着されることを特徴とする請求項１乃至１４の何れか１項に記載の画像形成システム。
【請求項１６】
前記中綴じ機が、前記用紙束を中綴じするためのステイプル機能を有することを特徴とする請求項１５に記載の画像形成システム。
【請求項１７】
前記中綴じ機が、複数枚の用紙からなる用紙束を断裁する用紙束断裁機能を有することを特徴とする請求項１５または１６に記載の画像形成システム。
【請求項１８】
前記中綴じ機が、ジャム発生時に画像形成システム内に残留した残留用紙、または、画像記録状態を確認するための試し記録済みの用紙が排出される中綴じ排出部を有することを特徴とする請求項１５乃至１７の何れか１項に記載の画像形成システム。
【請求項１９】
前記中綴じ機が、中綴じ処理された用紙束が載置され、中綴じ機本体に対して移動可能な中綴じ用紙載置部を有することを特徴とする請求項１５に記載の画像形成システム。
【請求項２０】
複数枚の用紙からなる用紙束をカバー用紙でくるみ製本するためのくるみ製本機を有し、
前記くるみ製本機は、前記単シート処理機に対して用紙搬送方向下流側に装着されることを特徴とする請求項１乃至１９の何れか１項に記載の画像形成システム。
【請求項２１】
前記くるみ製本機が、前記用紙束を糊付け処理する糊付け機能、または、前記用紙束を綴じ止め処理するステイプル機能を有することを特徴とする請求項２０に記載の画像形成システム。
【請求項２２】
前記くるみ製本機が、くるみ製本された用紙束を断裁するくるみ製本断裁機能を有することを特徴とする請求項２０または２１に記載の画像形成システム。
【請求項２３】
前記くるみ製本機が、ジャム発生時に画像形成システム内に残留した残留用紙、または、画像記録状態を確認するための試し記録済みの用紙が排出されるくるみ製本排出部を有することを特徴とする請求項２０乃至２２の何れか１項に記載の画像形成システム。
【請求項２４】
前記くるみ製本機が、くるみ製本処理された用紙束が載置され、前記くるみ製本機本体に対して移動可能なくるみ製本載置部を有することを特徴とする請求項２０乃至２３の何れか１項に記載の画像形成システム。
【請求項２５】
大量の出力用紙を収容可能な大容量載置機を有し、
前記大容量載置機は、大量の出力用紙が載置され、大容量載置機本体に対して着脱可能な着脱式大容量載置部と、前記単シート処理機または用紙搬送方向上流側に装着された他の何れかの後処理機から搬送される用紙を受け入れる大容量載置搬入部と、用紙搬送方向下流側に装着された他の何れかの後処理機に向けて用紙を搬出する大容量載置搬出部と、を有することを特徴とする請求項１乃至２４の何れか１項に記載の画像形成システム。
【請求項２６】
前記大容量載置機が、ジャム発生時に画像形成システム内に残留した残留用紙、または、画像記録状態を確認するための試し記録済みの用紙が排出される大容量載置排出部を有することを特徴とする請求項２５に記載の画像形成システム。
【請求項２７】
前記画像形成システムに装着される複数種類の後処理機の全てが、ジャム発生時に画像形成システム内に残留した残留用紙、または、画像記録状態を確認するための試し記録済みの用紙が排出される排出部を有することを特徴とする請求項１に記載の画像形成システム。
【請求項２８】
前記単シート処理機が、２枚以上の用紙を同時に折り処理する折り機能を有することを特徴とする請求項１乃至２７の何れか１項に記載の画像形成システム。
【請求項２９】
画像形成装置本体に装着可能に構成された単シート処理機であって、
用紙搬送方向下流側に他の後処理機を装着可能であり、
１枚毎に用紙を後処理する複数種類の単シート処理機能と、
出力される用紙束にカバー用紙またはインサート用紙を付加する用紙付加機能とを有することを特徴とする単シート処理機。
【手続補正２】
【補正対象書類名】明細書
【補正対象項目名】００１２
【補正方法】変更
【補正の内容】
【００１２】
（１）  画像形成装置本体と、少なくとも１つの後処理機とを有する画像形成システムにおいて、
前記画像形成装置本体に対して装着された前記後処理機としての単シート処理機を有し、前記単シート処理機は、その用紙搬送方向下流側に他の後処理機を装着可能であり、１枚毎に用紙を後処理する複数種類の単シート処理機能、および、出力される用紙束にカバー用紙またはインサート用紙を付加する用紙付加機能を有することを特徴とする画像形成システム。
【手続補正３】
【補正対象書類名】明細書
【補正対象項目名】００３６
【補正方法】変更
【補正の内容】
【００３６】
（１１）  複数枚の用紙からなる用紙束の端部を綴じ処理する平綴じ機を有し、
前記平綴じ機は、前記単シート処理機または他の何れかの後処理機から搬送される用紙を受け入れる平綴じ搬入部を有し、前記単シート処理機よりも用紙搬送方向下流側に装着されることを特徴とする前記（１）乃至（１０）の何れか１項に記載の画像形成システム。
【手続補正４】
【補正対象書類名】明細書
【補正対象項目名】００４７
【補正方法】変更
【補正の内容】
【００４７】
（１５）  複数枚の用紙からなる用紙束を中綴じ処理する中綴じ機を有し、前記中綴じ機は、前記単シート処理機または他の何れかの後処理機から搬送される用紙を受け入れる中綴じ搬入部と、用紙搬送方向下流側に装着された他の何れかの後処理機に向けて用紙を搬出する中綴じ搬出部とを有し、前記単シート処理機に対して用紙搬送方向下流側に装着されることを特徴とする前記（１）乃至（１４）の何れか１項に記載の画像形成システム。
【手続補正５】
【補正対象書類名】明細書
【補正対象項目名】００６０
【補正方法】変更
【補正の内容】
【００６０】
（２０）  複数枚の用紙からなる用紙束をカバー用紙でくるみ製本するためのくるみ製本機を有し、
前記くるみ製本機は、前記単シート処理機に対して用紙搬送方向下流側に装着されることを特徴とする前記（１）乃至（１９）の何れか１項に記載の画像形成システム。
【手続補正６】
【補正対象書類名】明細書
【補正対象項目名】００７４
【補正方法】変更
【補正の内容】
【００７４】
（２５）  大量の出力用紙を収容可能な大容量載置機を有し、前記大容量載置機は、大量の出力用紙が載置され、大容量載置機本体に対して着脱可能な着脱式大容量載置部と、前記単シート処理機または用紙搬送方向上流側に装着された他の何れかの後処理機から搬送される用紙を受け入れる大容量載置搬入部と、用紙搬送方向下流側に装着された他の何れかの後処理機に向けて用紙を搬出する大容量載置搬出部と、を有することを特徴とする前記（１）乃至（２４）の何れか１項に記載の画像形成システム。
【手続補正７】
【補正対象書類名】明細書
【補正対象項目名】００８０
【補正方法】変更
【補正の内容】
【００８０】
（２７）  前記画像形成システムに装着される複数種類の後処理機の全てが、ジャム発生時に画像形成システム内に残留した残留用紙、または、画像記録状態を確認するための試し記録済みの用紙が排出される排出部を有することを特徴とする前記（１）に記載の画像形成システム。
【手続補正８】
【補正対象書類名】明細書
【補正対象項目名】００８４
【補正方法】削除
【補正の内容】
【手続補正９】
【補正対象書類名】明細書
【補正対象項目名】００８５
【補正方法】削除
【補正の内容】
【手続補正１０】
【補正対象書類名】明細書
【補正対象項目名】００８６
【補正方法】変更
【補正の内容】
【００８６】
（２８）  前記単シート処理機が、２枚以上の用紙を同時に折り処理する折り機能を有することを特徴とする前記（１）乃至（２７）の何れか１項に記載の画像形成システム。
【手続補正１１】
【補正対象書類名】明細書
【補正対象項目名】００８８
【補正方法】変更
【補正の内容】
【００８８】
（２９）  画像形成装置本体に装着可能に構成された単シート処理機であって、用紙搬送方向下流側に他の後処理機を装着可能であり、１枚毎に用紙を後処理する複数種類の単シート処理機能と、出力される用紙束にカバー用紙またはインサート用紙を付加する用紙付加機能とを有することを特徴とする単シート処理機。